(57)【要約】【課題】  軸方向寸法が長い回転子を使用しても回転軸の曲がりが発生せず振動も大きくならない構造の電動機を提供する。【解決手段】  内周部に固定子１を有する筒状のフレーム２と、フレーム２の負荷側および反負荷側の両端に嵌合取付けした負荷側ブラケット３および反負荷側ブラケット４と、負荷側ブラケット３および反負荷側ブラケット４に、負荷側軸受５および反負荷側軸受６を介して回転自在に支持された回転軸７と、回転軸７の外周面に嵌合取付けされた回転子８とを有する電動機において、回転子８を軸方向に２分割し、その間にバランス修正用部品９ｃを配置するようにしたものである【選択図】        図１
2005086980.tif 000002
【特許請求の範囲】
【請求項１】
内周部に固定子を有する筒状のフレームと、前記フレームの負荷側および反負荷側の両端に嵌合取付けした負荷側ブラケットおよび反負荷側ブラケットと、前記負荷側ブラケットおよび反負荷側ブラケットに、負荷側軸受および反負荷側軸受を介して回転自在に支持された回転軸と、前記回転軸の外周面に嵌合取付けされた回転子とを有する電動機において、前記回転子を軸方向に２分割し、その間にバランス修正用部品を配置したことを特徴とする電動機。
【請求項２】
内周部に固定子を有する筒状のフレームと、前記フレームの負荷側および反負荷側の両端に嵌合取付けした負荷側ブラケットおよび反負荷側ブラケットと、前記負荷側ブラケットおよび反負荷側ブラケットに、負荷側軸受および反負荷側軸受を介して回転自在に支持された回転軸と、前記回転軸の外周面に嵌合取付けされた回転子とを有する電動機において、前記回転子の軸方向の中央に、回転子のコアと同一形状のバランス修正用部品を、回転子コアと一体で組込んだこと特徴とする電動機。
【発明の詳細な説明】
【技術分野】
【０００１】
本発明は、回転軸に細長い回転子を嵌合固着してなる電動機に関するものである。
【背景技術】
【０００２】
従来より電動機は、一般的に、回転子と固定子を各１個で構成する構造としているものがほとんどである（例えば、特許文献１参照）。
このような構成の電動機においては、加減速時間を短縮する場合、回転子外径を下げて軸方向寸法を長くすることでイナーシャを小さくする構成が採用されている。
例えば、図３に示すように、内周部に固定子１を有する筒状のフレーム２と、フレーム２の負荷側および反負荷側の両端に嵌合取付けした負荷側ブラケット３および反負荷側ブラケット４と、負荷側ブラケット３および反負荷側ブラケット４に、負荷側軸受５および反負荷側軸受６を介して回転自在に支持された回転軸７と、回転軸７の外周面に嵌合取付けされた径が小さく軸方向に長い回転子８とを備え、前記回転子８の両側にディスクなどからなるバランス修正部品９ａ，９ｂが配置されている。
このような構成の電動機は、イナーシャが小さいために短い加減速時間で運転ができる。
【特許文献１】特開平１０−２１０７０３号公報
【発明の開示】
【発明が解決しようとする課題】
【０００３】
しかしながら、このような従来の電動機においては、次のような問題があった。
(1)回転子８自体にもアンバランスがあり、また軸方向寸法の長い回転子８を回  転軸７に嵌合することで、回転軸７は曲がりを生じて回転子８のほぼ中央に大  きなアンバランスが発生する。
(2)このアンバランスは、回転子８の両側のディスク９ａ、９ｂで修正されるが  、回転子８が高速回転すると、回転子８のほぼ中央の大きなアンバランスは回  転によって遠心力となり、ディスク９ａ、９ｂの間で回転軸７に曲がりが発生  し、回転子８のアンバランスが大きくなる。その結果、電動機は大きな振動を  発生することになる。
本発明は、このような問題を解決するためになされたもので、軸方向寸法が長い回転子を使用しても回転軸の曲がりが発生せず振動も大きくならない構造の電動機を提供することを目的とするものである。
【課題を解決するための手段】
【０００４】
上記課題を解決するために、本発明は、内周部に固定子を有する筒状のフレームと、前記フレームの負荷側および反負荷側の両端に嵌合取付けした負荷側ブラケットおよび反負荷側ブラケットと、前記負荷側ブラケットおよび反負荷側ブラケットに、負荷側軸受および反負荷側軸受を介して回転自在に支持された回転軸と、前記回転軸の外周面に嵌合取付けされた回転子とを有する電動機において、前記回転子を軸方向に２分割し、その間にバランス修正用部品を配置するようにしたものである。
【発明の効果】
【０００５】
本発明によれば、軸方向寸法に長い回転子を２分割し、その中央にバランス修正用部品を配置する構造、あるいは回転子の中央にバランス修正用部品を一体で組み込む構造にしているので、回転子の中央で適切にアンバランスを修正することができ、軸曲がりの発生を抑えることができる。
【発明を実施するための最良の形態】
【０００６】
以下、本発明の実施例を図１に基づいて説明する。
【実施例１】
【０００７】
図１は、本発明の第１の実施例における電動機を示す側断面図である。
本発明の電動機は、図１に示すように、内周部に固定子１を有する筒状のフレーム２と、前記フレーム２の負荷側および反負荷側の両端に嵌合取付けした負荷側ブラケット３および反負荷側ブラケット４と、前記負荷側ブラケット３および反負荷側ブラケット４に、それぞれ１個の負荷側軸受５および反負荷側軸受６を介して回転自在に支持された回転軸７と、前記回転軸７の外周面に嵌合取付けされた第１および第２の回転子８ａ，８ｂを有し、かつ前記第１および第２の回転子８ａ，８ｂのそれぞれの外側に、例えばディスクなどからなるバランス修正部品９ａ，９ｂを配置するとともに、前記第１および第２の回転子８ａ，８ｂの間にもバランス修正部品９ｃを配置して構成されている。
１つの回転子を第１の回転子８ａと第２の回転子８ｂの２つに分割することにより回転子自体のアンバランスも１／２となり分散されることになると共に、回転軸７への嵌合において回転軸７に生じる曲りも小さくなる。
また、アンバランスの大きい第１の回転子８ａと第２の回転子８ｂの間においてアンバランスの修正をバランス修正部品９ｃによって行うことにより、アンバランスによって発生する遠心力は釣合って軸１を曲げる力も発生しない。
そのために、電動機の振動が大きくなることもない。
【実施例２】
【０００８】
図２は、本発明の第２の実施例における電動機を示す側断面図である。
本実施例は、アンバランス修正部品９ｃを、第１および第２の回転子８ａ，８ｂのコア形状と同一の形状に構成して、第１および第２の回転子８ａ，８ｂの中央に、第１および第２の回転子８ａ，８ｂのコアと一体で組込むようにしたものである。その効果は、前記第１の実施例と同一である。
【図面の簡単な説明】
【０００９】
【図１】本発明の第１の実施例における電動機を示す側断面図である。
【図２】本発明の第２の実施例における電動機を示す側断面図である。
【図３】従来技術における電動機を示す側断面図である。
【符号の説明】
【００１０】
１    固定子
２    フレーム
３    負荷側ブラケット
４    反負荷側ブラケット
５    負荷側軸受
６    反負荷側軸受
７    回転軸
８    回転子
８ａ  第１の回転子
８ｂ  第２の回転子
９ａ，９ｂ，９ｃ    バランス修正部品
【図１】
2005086980.tif 000003
【図２】
2005086980.tif 000004
【図３】
2005086980.tif 000005